【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
一次流体を運ぶ複数のコイルと、
該複数のコイルに二次流体を強制的に送ることにより一次流体と二次流体との間の熱伝達を促す複数のファンブレードを含むファンと、
該ファンに動作可能に接続されてファンブレードの回転を起こすように構成されたスターリングエンジンとを備える熱交換器であって、
該スターリングエンジンは、少なくとも一つのピストンと作動流体を含む第１及び第2の領域を含み、
該複数のコイル、該ファン及び該スターリングエンジンのそれぞれの部分は重なり合い、共通の軸に沿ってつぎつぎに連続的に整列されるように構造的に配置され、該スターリングエンジンは、該ファンに対して、該スターリングエンジンの該第１の領域が該二次流体の流れの外側にあり、該スターリングエンジンの該第２の領域が少なくとも部分的に該二次流体の流れの内部にあるように位置付けられ、
該複数のコイルは、該一次流体が該複数のコイルに流入する際に通過する入口と、該一次流体が該複数のコイルから流出する際に通過する出口とをそれぞれ含んでおり、熱伝達の結果として該一次流体の温度が該入口と該出口とでは異なっており、該入口及び該出口の一方における該一次流体のほうが温度が高く、それゆえ、該一方は温度の低い一次流体を含む該入口及び該出口の他方における該一次流体の温度よりも温度の高い一次流体を含み、
該スターリングエンジンの該第２の領域内の該作動流体が該温度の低い一次流体と熱伝達し、
且つ、該出口は、該スターリングエンジンの該第２の領域の周りに広がる、熱交換器。
【請求項２】
前記スターリングエンジンの前記第１の領域内の前記作動流体が前記温度の高い一次流体と熱伝達している請求項１に記載の熱交換器。
【請求項３】
前記スターリングエンジンの前記第１の領域が少なくとも部分的に前記温度の高い一次流体内に浸されている、請求項２に記載の熱交換器。
【請求項４】
前記入口が前記スターリングエンジンの前記第１の領域を包む、請求項２記載の熱交換器。
【請求項５】
前記複数のコイルが第１部分及び第２部分のコイルを含み、前記コイルの第１部分における前記一次流体が、前記コイルの第２部分においてよりも温度が高い、請求項１記載の熱交換器。
【請求項６】
前記スターリングエンジンの前記第１及び第２の領域の少なくとも一つの内部の前記作動流体がそれぞれ、コイルの前記第１部分及び第２部分と熱伝達する、請求項５に記載の熱交換器。
【請求項７】
前記ファンと動作可能に接続され、前記ファンブレードの回転を引き起こすように協働するように構成された、複数のスターリングエンジンをさらに含む、請求項１に記載の熱交換器。
【請求項８】
複数のコイルに一次流体を循環させることと、
スターリングエンジンの第１の作動流体含有領域と第２の作動流体含有領域との間に温度差を生じさせることにより、ファンの複数のファンブレードの回転を引き起こすことと、
該複数のファンブレードを回転させる結果として、該複数のコイルに二次流体を強制的に流すことにより、該一次流体と該二次流体との間の熱伝達を促進することとを含み、
該複数のコイル、該ファン及び該スターリングエンジンのそれぞれの部分は重なり合い、共通の軸に沿ってつぎつぎに連続的に整列されるように構造的に配置され、該温度差を生じさせることは、該スターリングエンジンを、該ファンに対して、該スターリングエンジンの該第１の領域が該二次流体の流れの外側にあり、該スターリングエンジンの該第２の領域が少なくとも部分的に該二次流体の流れの内部にあるように位置付けることを含み、
該一次流体を循環させる該ステップは、該一次流体が該複数のコイルに流入する際に入口を通過し、該複数のコイルから流出する際に出口を通過することを可能とすることを含み、
熱伝達の結果として該一次流体の温度が該入口と該出口とでは異なっており、該入口及び該出口の一方における該一次流体のほうが温度が高く、それゆえ、該一方は温度の低い一次流体を含む該入口及び該出口の他方における該一次流体の温度よりも温度が高い一次流体を含み、
該温度差を生じさせる該ステップは、該スターリングエンジンの該第２の領域内の該作動流体を該温度の低い一次流体と熱伝達させることを含み、
該スターリングエンジンの該第２の領域内の該作動流体を該温度の低い一次流体と熱伝達させることは、該出口を、該スターリングエンジンの該第２の領域の周りに広げることを含む、方法。
【請求項９】
温度差を生じさせる前記ステップが、前記スターリングエンジンの前記第１の領域内の前記作動流体を前記温度の高い一次流体と熱伝達させることを含む、請求項８記載の方法。
【請求項１０】
前記スターリングエンジンの前記第１の領域内の前記作動流体を前記温度の高い一次流体と熱伝達させることは、前記スターリングエンジンの前記第１の領域を、少なくとも部分的に前記温度の高い一次流体に浸すことを含む、請求項９に記載の方法。
【請求項１１】
前記スターリングエンジンの前記第１の領域内の前記作動流体を前記温度の高い一次流体と熱伝達させることは、前記スターリングエンジンの前記第１の領域の周りを包むように、前記入口を位置させることを含む、請求項９記載の方法。
【請求項１２】
前記複数のコイルが第１部分のコイルと第２部分のコイルとを含んでおり、前記一次流体の温度が、第２部分のコイル内より第１部分のコイル内において高く、且つ前記温度差を生じさせることが、前記スターリングエンジンの前記第１の領域内部の前記作動流体を前記第１部分のコイルと熱伝達させることを含む、請求項８に記載の方法。
【請求項１３】
前記複数のコイルが第１部分のコイルと第２部分のコイルとを含んでおり、前記一次流体の温度が、第２部分のコイル内より第１部分のコイル内において高く、且つ前記温度差を生じさせることが、前記スターリングエンジンの前記第２の領域内部の前記作動流体を前記第２部分のコイルと熱伝達させることを含む、請求項８に記載の方法。
【請求項１４】
前記スターリングエンジンの前記第２の領域が少なくとも部分的に前記温度の低い一次流体内に浸されている、請求項１記載の熱交換器。
【請求項１５】
前記スターリングエンジンの前記第２の領域内の前記作動流体を前記温度の低い一次流体と熱伝達させることは、前記スターリングエンジンの前記第２の領域を少なくとも部分的に前記温度の低い一次流体内に浸させることを含む、請求項８記載の方法。
【手続補正２】
【補正対象書類名】明細書
【補正対象項目名】００３５
【補正方法】変更
【補正の内容】
【００３５】
当業者には、上述の説明及び添付図面に提示された教示の恩恵を有する本明細書に開示された実施形態に関する開示内容の、多数の変更例及びその他の実施形態が明らかであろう。したがって、本開示内容は開示された特定の実施形態に限定されず、変更例及びその他の実施形態は特許請求の範囲に含まれる。本明細書では特定の用語を用いているが、これらは一般的な意味で説明のみを目的として使用されているのであり、限定を意図していない。
また、本願は以下に記載する態様を含む。
（態様１）
一次流体を運ぶ複数のコイルと、
複数のコイルに二次流体を強制的に送ることにより一次流体と二次流体との間の熱伝達を促すファンブレードを含むファンと、
ファンに動作可能に接続されてファンブレードを回転させる少なくとも一つのスターリングエンジンと
を備える熱交換器。
（態様２）
複数のコイルが、一次流体が流入する際に通過する入口と、一次流体が流出する際に通過する出口とを含んでおり、熱伝達の結果として一次流体の温度が入口と出口とでは異なっており、入口及び出口の一方における一次流体の温度が、入口及び出口の他方における一次流体の温度よりも高く、且つスターリングエンジンが少なくとも一つのピストンと第１及び第２の流体含有領域とを含んでいる、態様１に記載の熱交換器。
（態様３）
スターリングエンジンの第１の領域内部の流体が、温度の高い方の流体と熱的に連絡しており、
スターリングエンジンの第１の領域の少なくとも一部が、温度の高い方の流体内部に位置しており、且つ
入口が少なくとも部分的にスターリングエンジンの第１の領域に沿って延びている、
態様１又は２に記載の熱交換器。
（態様４）
スターリングエンジンの第２の領域内部の流体が、温度の低い方の流体と熱的に連絡している、態様１ないし３のいずれか一項に記載の熱交換器。
（態様５）
複数のコイルが第１組のコイルと第２組のコイルとを含んでおり、一次流体の温度が、第２組のコイル内より第１組のコイル内において高く、且つスターリングエンジンが、少なくとも一つのピストンと、第１及び第２の流体含有領域とを含んでいる、態様１ないし４のいずれか一項に記載の熱交換器。
（態様６）
スターリングエンジンの第１の領域内部の流体が第１組のコイルと熱的に連絡しており、且つ
スターリングエンジンの第２の領域内部の流体が第２組のコイルと熱的に連絡している、
態様１ないし５のいずれか一項に記載の熱交換器。
（態様７）
スターリングエンジンが少なくとも一つのピストンと第１及び第２の流体含有領域とを含んでおり、且つスターリングエンジンの第１の領域が二次流体の流れの外側に位置し、スターリングエンジンの第２の領域の少なくとも一部が二次流体の流れの中に位置するように、スターリングエンジンがファンに対して位置付けられている、態様１ないし６のいずれか一項に記載の熱交換器。
（態様８）
複数のコイルに一次流体を循環させることと、
スターリングエンジンの第１の流体含有領域と第２の流体含有領域との間に温度差を生じさせることにより、ファンの複数のファンブレードを回転させることと、
複数のブレードを回転させる結果として複数のコイルに二次流体を強制的に流すことにより、一次流体と二次流体との間の熱伝達を促進することと
を含む方法。
（態様９）
一次流体を循環させることが、一次流体を、複数のコイルの入口から流入させ、出口から流出させることであり、且つ熱伝達の結果として一次流体の温度が入口と出口とでは異なっており、入口及び出口の一方における一次流体の温度が、入口及び出口の他方における一次流体の温度よりも高い、態様８に記載の方法。
（態様１０）
温度差を生じさせることが、スターリングエンジンの第１の領域内部の流体を、温度の高い方の流体と熱的に連絡させることを含み、且つ
スターリングエンジンの第１の領域内部の流体を温度の高い方の流体と熱的に連絡させることが、スターリングエンジンの第１の領域の少なくとも一部を、温度の高い方の流体内部に配置することを含む、
態様８又は９に記載の方法。
（態様１１）
スターリングエンジンの第１の領域内部の流体を温度の高い方の流体と熱的に連絡させることが、入口を少なくとも部分的にスターリングエンジンの第１の領域に沿って配置することを含む、態様８ないし１０のいずれか一項に記載の方法。
（態様１２）
温度差を生じさせることが、スターリングエンジンの第２の領域内部の流体を、温度の低い方の流体と熱的に連絡させることを含む、態様８ないし１１のいずれか一項に記載の方法。
（態様１３）
複数のコイルが第１組のコイルと第２組のコイルとを含んでおり、一次流体の温度が、第２組のコイル内より第１組のコイル内において高く、且つ温度差を生じさせることが、スターリングエンジンの第１の領域内部の流体を第１組のコイルと熱的に連絡させることを含む、態様８ないし１２のいずれか一項に記載の方法。
（態様１４）
複数のコイルが第１組のコイルと第２組のコイルとを含んでおり、一次流体の温度が、第２組のコイル内より第１組のコイル内において高く、且つ温度差を生じさせることが、スターリングエンジンの第２の領域内部の流体を第２組のコイルと熱的に連絡させることを含む、態様８ないし１３のいずれか一項に記載の方法。
（態様１５）
温度差を生じさせることが、スターリングエンジンの第１の領域が二次流体の流れの外側に位置し、スターリングエンジンの第２の領域の少なくとも一部が二次流体の流れの中に位置するように、スターリングエンジンをファンに対して位置付けることを含む、態様８ないし１４のいずれか一項に記載の方法。